(57)【要約】【課題】本体箱に複数個を一単位として収容された物品から一単位から切り離された残余の端数の物品の管理を容易に行うことを可能とする補助収容箱を提供する。【解決手段】略直方体の本体箱１０に装着される補助収容箱２０は、一端が開口し、他端が閉鎖された箱体２１を有し、該箱体２１は透明材料で形成されており、前記箱体２１は本体箱１０に係止する係止部２５を備え、該係止部２５を本体箱１０に係止することにより、前記箱体２１が本体箱１０に一体化されるようにした。【選択図】図１
0003167309.tif 000002
【実用新案登録請求の範囲】
【請求項１】
略直方体の本体箱に装着される補助収容箱であって、
該補助収容箱は、一端が開口し、他端が閉鎖された箱体を有し、該箱体は透明材料で形成されており、
前記箱体は本体箱に係止する係止部を備え、該係止部を本体箱に係止することにより、前記箱体が本体箱に一体化されることを特徴とする、本体箱に装着される補助収容箱。
【請求項２】
前記箱体は、前記他端を閉鎖する底面部と側面部とで構成された略直方体に形成され、
前記箱体の係止部は、前記箱体の一つの側面部の開口側端部に折曲部を介して連設され、前記箱体の一つの側面部の外面に沿って延在するように形成された平板状の係止片であり、前記箱体の一つの側面部と前記係止片との間に本体箱の一側面部を挟持するように構成されている、請求項１記載の本体箱に装着される補助収容箱。
【請求項３】
前記箱体を形成する透明材料はプラスチックシートであり、前記係止片は前記折曲部を弾性ヒンジとしてその先端部が前記箱体の一つの側面部に対して接離可能に形成されている、請求項２記載の本体箱に装着される補助収容箱。
【請求項４】
前記箱体の一つの側面部に対向した側面部には、開口側の端部に全幅にわたって所定の幅の切り欠きが形成されている、請求項２または３記載の本体箱に装着される補助収容箱。
【請求項５】
略直方体の本体箱への補助収容箱の装着構造であって、
前記本体箱は、側面部と、すくなとも一方が開口される２つの底面部とを備え、
前記補助収容箱は、一端が開口し、他端が閉鎖された箱体を有し、該箱体は透明材料で形成されており、
前記箱体は前記本体箱に係止する係止部を備え、該係止部を前記本体箱に係止することにより、前記箱体が本体箱に一体化されることを特徴とする、本体箱への補助収容箱の装着構造。
【請求項６】
前記箱体は、前記他端を閉鎖する底面部と側面部とで構成された略直方体に形成され、
前記箱体の係止部は、前記箱体の一つの側面部の開口側端部に折曲部を介して連設され、前記本体箱の一つの側面部の内面に沿って延在するように形成された平板状の係止片であり、前記箱体の一つの側面部と前記係止片との間に前記本体箱の一つの側面部を挟持するものである、請求項５記載の本体箱への補助収容箱の装着構造。
【請求項７】
前記補助収容箱の箱体を形成する透明材料はプラスチックシートであり、前記係止片は前記折曲部を弾性ヒンジとしてその先端部が前記箱体の一つの側面部に対して接離可能に形成されており、
前記係止片を前記本体箱の開口された底面部から前記本体箱の一つの側面部の内面に沿わせて差し込むことにより、前記箱体の一つの側面部と前記本体箱の一つの側面部とが密接状態にされるものである請求項６記載の本体箱への補助収容箱の装着構造。
【請求項８】
前記箱体の一つの側面部に対向した側面部には、開口側の端部に全幅にわたって所定の幅の切り欠きが形成されている、請求項５ないし７のいずれかに記載の本体箱への補助収容箱の装着構造。
【請求項９】
前記箱体は、前記本体箱の厚さより小さな厚さを有するように形成されている、請求項５ないし８のいずれかに記載の本体箱への補助収容箱の装着構造。
【請求項１０】
前記本体箱は医薬品の個装箱であって、その側面部あるいは底面部に医薬品の製造番号と使用期限を含む表示部を有し、前記補助収容箱は医薬品の分割片シートを収容する分割医薬品収容箱である、請求項５ないし９のいずれかに記載の本体箱への補助収容箱の装着構造。
【考案の詳細な説明】
【技術分野】
【０００１】
本考案は本体箱に装着され、物品を補助的に収容する補助収容箱に関し、特に、医薬品の個装箱と組み合わせて使用する端数の錠剤などが担持された分割片シートを収容するのに適した補助収容箱に関する。
【背景技術】
【０００２】
一般的に、錠剤、カプセルなど（以下まとめて錠剤と称す）の医薬品は、例えば１０個、７個あるいはこれらの倍数の複数個の錠剤が一枚のＰＴＰシートに担持され、この錠剤を担持したＰＴＰシートは複数枚がまとめられて個装箱に収納された状態で調剤薬局に供給されている。通常、医薬品の製造番号及び使用期限は個装箱の外面に表示されているが、ＰＴＰシートには表示されていない。
【０００３】
調剤薬局等の調剤室では、調剤棚といわれる、医薬品等をアイテムごとに収納する保管棚が設置されており、調剤を行う薬剤師は、処方箋に基づき、その調剤棚から該当する医薬品を必要量取り出してセットし、患者に対し交付している。医薬品の調剤棚への収納は、個装箱にＰＴＰシートを収容した状態で個装箱の医薬品名表示が見えるように調剤棚の各区画に載置するのが一般的である。
【０００４】
医薬品の調剤に際し、薬剤師は医薬品を個装箱から取り出し、セットし、交付するが、その時々の医薬品の必要量により完全なシート単位のみによる交付とはならず、１枚のＰＴＰシートを部分的に切り取って所定個数の錠剤をセットに含める場合が多くあり、その場合には端数の錠剤を有する残余のＰＴＰシートの部分（分割片シート）が生じる。
【０００５】
従来、調剤薬局等ではこのような端数の医薬品の管理方法として、分割片シートを個装箱内に戻して収納したり、分割片シートを個装箱とともに透明なプラスチックケースやプラスチック袋に収納して調剤棚に載置したり、調剤棚に付設された小引き出しに収納したり、あるいは分割片シートを小さい透明な袋に収納し、製造番号と使用期限の表示がある部分を個装箱から切り取って袋に入れて管理し、もしくは袋に製造番号と使用期限を直接記載して管理している。
【０００６】
これらの管理方法のうち、分割片シートを個装箱内に戻して収納した場合には、次の調剤の際に個装箱の奥深くにある分割片シートを取り出し、錠剤の個数を確認しセットするには手間がかかり、作業性がよくないという欠点がある。また、分割片シートを個装箱とともに透明なプラスチックケースやプラスチック袋に収納する場合には、全体がかさばったものになり、調剤棚の区画に入らなかったり、大きなスペースを必要としたり、小引き出しに収納すると調剤棚の区画と小引き出しの２個所の確認が必要となり、また、小引き出し内への収納は複数種の医薬品の一覧性を悪くするという問題がある。そして、分割片シートを透明な袋に収納し、個装箱から製造番号と使用期限の表示部分を切り取って袋に入れたり、袋に製造番号と使用期限を直接記載したりする場合には、表示部分の切り取りや製造番号・使用期限の転記作業が必要となり手間がかかるという問題がある。
【０００７】
現在そして今後はますます、どの患者にどのロットの医薬品を渡したかの履歴を把握する、いわゆるトレーサビリティーが重要となるなか、調剤薬局等では上記のような端数の医薬品の管理をいかに簡易に、適切に行うことができるかが医薬品管理業務のポイントになってきている。
【０００８】
一方、付属品や販促品等を収容した添付箱を、主たる商品などが収容された本体箱に簡単な構造で添付できるようにした添付箱の添付構造が、特許文献１ないし特許文献４などに提案されている。これらは添付箱を本体箱と一体化して流通、店頭での陳列、販売に供するためのものであり、添付箱は全面が側壁板で構成され、添付箱内の収納物の取り出しがすぐにはできないものとされており、また収納物を添付箱に繰り返して出し入れすることは考慮されていない。
【先行技術文献】
【特許文献】
【０００９】
【特許文献１】特開平１０−２３６４５６号公報
【特許文献２】特開２０００−１４２６７４号公報
【特許文献３】特開２００２−２６７５号公報
【特許文献４】実公昭６２−１４９５３１号公報
【考案の概要】
【考案が解決しようとする課題】
【００１０】
本考案は、上記の従来技術が有する問題点を解決しようとするもので、本体箱に複数個を一単位として収容された物品から一単位から切り離された残余の端数の物品の管理を容易に行うことを可能とする補助収容箱を提供することを目的とする。特に、本考案は、医薬品の個装箱と組み合わせて使用する個装箱と一体で医薬品の端数管理を行うことを可能とし、医薬品収納のため大きなスペースを必要とせず、個装箱の製造番号・使用期限の表示部分の切り取りや製造番号・使用期限を転記する作業を不要とし、内容物の形状・数量も確認することが可能となる分割医薬品収容箱として使用に適した補助収容箱を提供することを目的とするものである。
【課題を解決するための手段】
【００１１】
上記目的を達成するため、本考案に係る補助収容箱は、略直方体の本体箱に装着される補助収容箱であって、
該補助収容箱は、一端が開口し、他端が閉鎖された箱体を有し、該箱体は透明材料で形成されており、
前記箱体は本体箱に係止する係止部を備え、該係止部を本体箱に係止することにより、前記箱体が本体箱に一体化されることを特徴とする。
【００１２】
なお、前記箱体は、前記他端を閉鎖する底面部と側面部とで構成された略直方体に形成し、前記箱体の係止部は、前記箱体の一つの側面部の開口側端部に折曲部を介して連設され、前記箱体の一つの側面部の外面に沿って延在するように形成された平板状の係止片であり、前記箱体の一つの側面部と前記係止片との間に本体箱の一側面部を挟持するように構成するのが好ましい。
【００１３】
また、前記箱体を形成する透明材料はプラスチックシートであり、前記係止片は前記折曲部を弾性ヒンジとしてその先端部が前記箱体の一つの側面部に対して接離可能に形成するのが好ましい。
【００１４】
そして、前記箱体の一つの側面部に対向した側面部には、開口側の端部に全幅にわたって所定の幅の切り欠きを形成するのが好ましい。
【００１５】
さらに、本考案に係る本体箱への補助収容箱の装着構造は、略直方体の本体箱への補助収容箱の装着構造であって、
前記本体箱は、側面部と、すくなとも一方が開口される２つの底面部とを備え、
前記補助収容箱は、一端が開口し、他端が閉鎖された箱体を有し、該箱体は透明材料で形成されており、
前記箱体は前記本体箱に係止する係止部を備え、該係止部を前記本体箱に係止することにより、前記箱体が本体箱に一体化されることを特徴とする。
【００１６】
なお、前記箱体は、前記他端を閉鎖する底面部と側面部とで構成された略直方体に形成し、前記箱体の係止部は、前記箱体の一つの側面部の開口側端部に折曲部を介して連設され、前記本体箱の一つの側面部の内面に沿って延在するように形成された平板状の係止片であり、前記箱体の一つの側面部と前記係止片との間に前記本体箱の一つの側面部を挟持するものであるのが好ましい。
【００１７】
また、前記補助収容箱の箱体を形成する透明材料はプラスチックシートであり、前記係止片は前記折曲部を弾性ヒンジとしてその先端部が前記箱体の一つの側面部に対して接離可能に形成し、前記係止片を前記本体箱の開口された底面部から前記本体箱の一つの側面部の内面に沿わせて差し込むことにより、前記箱体の一つの側面部と前記本体箱の一つの側面部とが密接状態にするのが好ましい。
【００１８】
そして、前記箱体の一つの側面部に対向した側面部には、開口側の端部に全幅にわたって所定の幅の切り欠きを形成するのがよい。また、前記箱体は、前記本体箱の厚さより小さな厚さを有するように形成するのが好ましい。
【００１９】
また、前記本体箱は医薬品の個装箱とし、その側面部あるいは底面部に医薬品の製造番号と使用期限を含む表示部を備え、前記補助収容箱は医薬品の分割片シートを収容する分割医薬品収容箱とするのがよい。
なお、医薬品が入っている個装箱は、内容物により材質、大きさが統一されていないが、大きさの異なる複数種類、例えば大中小の３種類の補助収容箱を用意し、あらゆる個装箱に対応できるようにするのがよい。
【考案の効果】
【００２０】
本考案によれば、補助収容箱は、一端が開口し、他端が閉鎖された透明材料で形成された箱体を有し、箱体は本体箱に係止する係止部を備え、該係止部を本体箱に係止することにより、補助収容箱が本体箱に一体化されるように構成されているので、本体箱と一体で医薬品などの収容物品の端数管理を行うことが可能となるため、わざわざ製造番号や使用期限を転記する作業が不要となり、またこの補助収容箱が透明材料で形成されていることによりその収容物品の形状や数量を容易に確認することが可能となる。
【図面の簡単な説明】
【００２１】
【図１】図１は本考案の一実施形態に係る補助収容箱を本体箱に装着した状態を示す斜視図である。
【図２】図２は本考案の一実施形態に係る補助収容箱を示し、（ａ）は補助収容箱を上方から見た斜視図であり、（ｂ）は補助収容箱を下方から見た斜視図である。
【図３】図３は本体箱に補助収容箱を装着する方法を示した模式図である。
【考案を実施するための形態】
【００２２】
以下、本考案に係る本体箱に装着される補助収容箱の実施の形態を図面を用いて説明する。図１には本考案を調剤薬局などで取り扱われる医薬品の個装箱に適用した例が示されており、本体箱１０は医薬品の個装箱であり、補助収容箱２０は端数の医薬品を担持した分割シート片を収容する分割医薬品収容箱である。
本体箱１０は、個装箱として一般的な厚紙からなる略直方体状のものであり、４つの側面部１１ａ、１１ｂ、１１ｃ、１１ｄと、２つの底面部１２ａ、１２ｂとで構成されている。一方の底面部１２ａは、医薬品を取り出すため本体箱１０の開封時の開口となるように側面部１１ｃから延設された開閉自在の蓋片で構成され、蓋片の先端は１つの側面部１１ａの内面に沿って本体箱１０内へ差し込まれるものである。このように形成された本体箱１０に、所定数、例えば１０個、７個あるいはこれらの倍数の複数個の錠剤が一枚のＰＴＰシートに担持され、この錠剤を担持したＰＴＰシートは複数枚がまとめられて収納された状態で調剤薬局に供給される。本体箱１０の１つの側面部１１ｂは、医薬品名、医薬品の製造番号及び使用期限が表示された表示部分１３を有している。
【００２３】
補助収容箱２０は、透明材料で略直方体状の箱体２１として形成されており、４つの側面部２２ａ、２２ｂ、２２ｃ、２２ｄと底面部２３とで構成されている。すなわち、補助収容箱の２０の一端は底面部で２３で閉鎖されているが、他端は端数の医薬品を担持した分割シート片３０を補助収容箱２０内へ入れたり、補助収容箱２０内から取り出したりするため蓋を有しない開口２４とされている。補助収容箱２０は、本体箱１０と同程度の強度と保形性を有する透明材料で形成されており、例えば透明なプラスチックシートを所定の展開図に打ち抜き、折り曲げと接着により製函したり、透明なプラスチックシートを真空成形などの一体成形したりすることにより作成される。なお、補助収容箱２０の厚さは、多数枚のＰＴＰシートを収納する本体箱１０の厚さより小さなものでよく、錠剤の高さを含むＰＴＰシートの２ないし３枚分の厚さとするのがよい。
【００２４】
補助収容箱２０の開口側端部から１つの側面部２２ａの外面に沿って、補助収容箱２０の本体箱１０への装着の際に本体箱１０への係止部となる平板状の係止片２５が側面部２２ａと一体的に設けられている。この係止片２５は、側面部２２ａの開口側端部から延設されるものであるが、該開口側端部で外方に折り返され、弾性ヒンジとして機能する折曲部２６を介して側面部２２ａの外面に沿ってこの側面部２２ａの長さの３分の１程度まで延在されている。
【００２５】
補助収容箱２０の開口２４を形成している側面部のうち、係止片２５が連設された側面部２２ａに隣接した２つの側面部２２ｂ、２２ｄはその開口側端縁が傾斜して形成されるとともに、係止片２５が連設された側面部２２ａに対向した側面部２２ｃの開口側端部はその全幅にわたって所定の距離だけ切除された切り欠き部２７が形成され、大きな開口部が画成されており補助収容箱２０の内部への分割シート片３０の出し入れを容易にしている。
【００２６】
このように構成された補助収容箱２０は、本体箱１０に次のようにして装着される。図３に示すように、補助収容箱２０の係止片２５を本体箱１０に１つの側面部１１ａの内面に沿わせて差し込むのであるが、まず、係止片２５の先端を補助収容箱２０の側面部２２ａから離すように持ち上げて、係止片２５の先端と補助収容箱２０の側面部２２ａとの間に隙間を形成する。このように隙間ができた係止片２５の先端を本体箱１０の側面部１１ａと底面部１２ａの蓋片の差し込み先端との間に挿入し、係止片２５の付け根の折曲部２６が本体箱１０の側面部１１ａの端縁に係合するまでさらに奥深く押し込む。このようにして、補助収容箱２０の側面部２２ａと係止片２５との間に本体箱１０の側面部１１ａが挟持され、補助収容箱２０の側面部２２ａと本体箱１０の側面部１１ａは密接し、補助収容箱２０は本体箱１０に安定した状態で装着されるのである。
【００２７】
このようにして、本体箱１０に装着された補助収容箱２０の内部に分割シート片３０を収容することができる。補助収容箱２０は透明材料で形成されているので、収容した分割シート片３０は目視でき、医薬品の形状や数量を容易に確認することができる。
【００２８】
なお、上述の実施形態では本体箱に対する補助収容箱の係止部は、箱体の一側面部を延設した平板状の係止片として構成しているが、本体箱に巻き付ける構造のものものでもよい。
【００２９】
上述したように、本考案に係る補助収容箱は、透明材料で形成した箱体に、本体箱に係止する係止部を備えるだけの簡単な構造で本体箱に一体化されるので、本体箱と一体で医薬品などの収容物品の端数管理を行うことが可能となり、製造番号や使用期限を転記する作業が不要となる。
【符号の説明】
【００３０】
１０  本体箱
１１ａ  側面部
１１ｂ  側面部
１１ｃ  側面部
１１ｄ  側面部
１２ａ  底面部
１２ｂ  底面部
１３  表示部分
２０  補助収容箱
２１  箱体
２２ａ  側面部
２２ｂ  側面部
２２ｃ  側面部
２２ｄ  側面部
２３  底面部
２４  開口
２５  係止片
２６  折曲部
２７  切り欠き部
３０  分割シート片
【図１】
0003167309.tif 000003
【図２】
0003167309.tif 000004
【図３】
0003167309.tif 000005